(57)【特許請求の範囲】
【請求項１】
音声認識手段を有し入力される音声を音声認識手段によって認識してダイヤル発信を行う音声ダイヤル機能を備えた電話機において、
電話番号データとこの電話番号データに対応する名称データを含む電話帳データを記憶する電話帳データ記憶手段と、
この電話帳データ記憶手段に記憶された電話帳データに対応し前記音声認識手段によって認識される音声によって電話帳データ記憶手段から電話帳データを読み出すための音声認識データを記憶する音声認識データ記憶手段と、
前記電話帳データ記憶手段に前記電話帳データが記憶される際に、前記電話帳データ記憶手段に記憶される前記名称データから読み仮名の前記音声認識データを作成する音声認識データ作成手段と、
この音声認識データ作成手段によって作成された音声認識データを前記電話帳データ記憶手段に記憶される電話帳データに関連付けて前記音声認識データ記憶手段に書き込む音声認識データ書き込み手段と、
を備えていることを特徴とする音声ダイヤル機能付き電話機。
【請求項２】
前記音声認識データ作成手段によって作成された音声認識データに対して前記音声認識手段によって音声認識が可能か否かの判別を行う音声認識データ判別手段を
さらに備えている請求項１に記載の音声ダイヤル機能付き電話機。
【請求項３】
前記音声認識データ書き込み手段が、前記音声認識データ判別手段によって音声認識手段による音声認識が不可であると判別された音声認識データの音声認識が不可の部分を削除する音声認識データ加工手段を
さらに備えている請求項２に記載の音声ダイヤル機能付き電話機。
【請求項４】
前記電話帳データ記憶手段が、記憶している電話帳データを前記音声認識データ記憶手段に記憶されている対応する音声認識データによって読み出しが可能な状態と読み出しが不能な状態の何れかに設定するリンク設定部を
有している請求項１に記載の音声ダイヤル機能付き電話機。
【請求項５】
前記音声認識データ記憶手段への音声認識データの書き込み状況を表示するためのメッセージデータを記憶するメッセージ記憶手段を
さらに備えている請求項１に記載の音声ダイヤル機能付き電話機。
【請求項６】
前記電話帳データ記憶手段に記憶されている電話帳データに変更された電話帳データを上書きによって記憶させる電話帳データ変更手段と、
この電話帳データ変更手段によって電話帳データ記憶手段に上書きされる変更された電話帳データから前記音声認識データを作成する音声認識修正データ作成手段と、
この音声認識修正データ作成手段によって作成された音声認識データを前記電話帳データ記憶手段に上書きされる変更された電話帳データに関連付けて前記音声認識データ記憶手段に書き込む音声認識修正データ書き込み手段と、
をさらに備えている請求項１に記載の音声ダイヤル機能付き電話機。
【請求項７】
前記音声認識修正データ作成手段によって作成された音声認識データに対して前記音声認識手段によって音声認識が可能か否かの判別を行う音声認識修正データ判別手段を
さらに備えている請求項６に記載の音声ダイヤル機能付き電話機。
【請求項８】
前記音声認識修正データ判別手段によって音声認識手段による音声認識が不可であると判別された音声認識データの音声認識が不可の部分を削除する音声認識修正データ加工手段を
さらに備えている請求項７に記載の音声ダイヤル機能付き電話機。
【請求項９】
前記電話帳データ記憶手段に記憶されている電話帳データ毎に、前記音声認識データ記憶手段に記憶されている対応する音声認識データによって読み出しが可能な状態に設定されているか不能な状態に設定されているかを検出するリンク検出手段と、
このリンク検出手段によって電話帳データがこれに対応する音声認識データにより読み出しが可能な状態に設定されていることが検出されたときに前記リンク設定部を書き換えて読み出しが不能な状態に設定を変更し、読み出しが不能な状態に設定されていることが検出されたときにリンク設定部を書き換えて読み出しが可能な状態に再設定するリンク設定変更手段と、
をさらに備えている請求項４に記載の音声ダイヤル機能付き電話機。
【請求項１０】
前記リンク検出手段によって電話帳データがこれに対応する音声認識データにより読み出しが可能な状態に設定されていることが検出されたときに、その電話帳データに対応する音声認識データを削除する音声認識データ削除手段を
さらに備えている請求項９に記載の音声ダイヤル機能付き電話機。
【請求項１１】
前記リンク検出手段によって電話帳データがこれに対応する音声認識データにより読み出しが不能な状態に設定されていることが検出されたときに、その電話帳データから音声認識データを再度作成する音声認識データ再作成手段と、
この音声認識データ再作成手段によって作成された音声認識データを前記電話帳データに関連付けて前記音声認識データ記憶手段に書き込む音声認識データ再書き込み手段と、
をさらに備えている請求項９に記載の音声ダイヤル機能付き電話機。
【請求項１２】
前記音声認識データ再作成手段によって作成された音声認識データに対して前記音声認識手段により音声認識が可能か否かの判別を行う音声認識データ再判別手段を
さらに備えている請求項１１に記載の音声ダイヤル機能付き電話機。
【請求項１３】
前記メッセージ記憶手段が、音声認識データ記憶手段への音声認識データの再書き込みの状況を表示するためのメッセージデータを記憶している
請求項１１に記載の音声ダイヤル機能付き電話機。
【請求項１４】
前記音声認識データ書き込み手段が、音声認識データ作成手段によって作成された音声認識データを、この音声認識データに含まれる電話帳データの名称の読み仮名順に分類して音声認識データ記憶手段に書き込む
請求項１に記載の音声ダイヤル機能付き電話機。
【発明の詳細な説明】
【０００１】
【発明の属する技術分野】
この発明は、音声認識によって外線へのダイヤル動作を行う機能を備えた電話機に関する。
【０００２】
【発明が解決しようとする課題】
近年、電話機によって発信を行う際に、キー入力によるダイヤル操作や短縮ダイヤル機能によるダイヤル操作を行う代わりに、音声入力によってあらかじめ登録されている電話帳データを呼び出して発信を行う所謂音声ダイヤル機能を備えた電話機が開発されてきている。
【０００３】
このような音声ダイヤル機能を備えた電話機は、ユーザが電話を掛けようとする相手の氏名や名称などを電話機に向かって発声するだけで相手先の電話番号を自動的にダイヤルして発信を行うので、面倒なキー入力操作が不要になるという優れた有用性を備えている。
【０００４】
しかしながら、従来の電話機は、ユーザが電話機の音声ダイヤル機能を利用する場合には、あらかじめ、電話機に装備されている電話帳メモリに登録されている電話番号のなかから音声ダイヤル機能によって発信を行おうとする任意の電話帳データを選択して音声ダイヤルメモリに登録を行ったり、また、氏名や名称とこれに対応する電話番号とを新たに電話機に入力して音声ダイヤルメモリに登録を行うといった操作を必要とする。
【０００５】
このため、従来の音声ダイヤル機能付き電話機は、ユーザが電話を掛けようとして音声入力を行っても、電話帳メモリには登録されているが音声ダイヤルメモリには登録されていないために、音声ダイヤル機能が働かないで発信することが出来ず、改めてキー入力操作によって発信を行ったり、短縮ダイヤル機能を用いて発信を行ったり、また、その場で音声ダイヤルメモリへの登録を行わなければならないといった状況が発生するという問題点を有している。
【０００６】
また、従来の音声ダイヤル機能付き電話機は、電話帳メモリへの電話帳データの登録件数に比べて、例えば、電話帳メモリに電話帳データが１００件登録出来るのに対して音声ダイヤルメモリへの登録件数が最大５件までというように、音声ダイヤルメモリへの登録件数が少ないために、音声ダイヤル機能が十分に活用されないという問題点も有している。
【０００７】
この発明は、上記のような音声ダイヤル機能付き電話機が有している問題点を解決するために為されたものである。
すなわち、この発明は、音声ダイヤル機能付き電話機において、その音声ダイヤル機能を面倒な操作を必要とすることなく十分に活用することが出来るようにすることを目的としている。
【０００８】
【課題を解決するための手段】
第１の発明による音声ダイヤル機能付き電話機は、上記目的を達成するために、音声認識手段を有し入力される音声を音声認識手段によって認識してダイヤル発信を行う音声ダイヤル機能を備えた電話機において、電話番号データとこの電話番号データに対応する名称データを含む電話帳データを記憶する電話帳データ記憶手段と、この電話帳データ記憶手段に記憶された電話帳データに対応し前記音声認識手段によって認識される音声によって電話帳データ記憶手段から電話帳データを読み出すための音声認識データを記憶する音声認識データ記憶手段と、前記電話帳データ記憶手段に前記電話帳データが記憶された後に、前記電話帳データ記憶手段に記憶された前記名称データから読み仮名の前記音声認識データを作成する音声認識データ作成手段と、この音声認識データ作成手段によって作成された音声認識データを前記電話帳データ記憶手段に記憶される電話帳データに関連付けて前記音声認識データ記憶手段に書き込む音声認識データ書き込み手段とを備えていることを特徴としている。
【０００９】
この第１の発明による音声ダイヤル機能付き電話機は、ダイヤル発信をよく行う電話番号を氏名や名称とともにあらかじめ登録しておいて例えば短縮ダイヤル機能の実行などに利用される電話帳データ記憶手段に、電話番号やこれに対応する氏名や名称を含む電話帳データを記憶させる際に、その都度、音声認識データ作成手段が、記憶される電話帳データから例えば氏名や名称の読み仮名などの電話帳データ記憶手段から電話帳データを読み出すための音声認識データを作成する。
【００１０】
そして、この音声認識データ作成手段によって作成された音声認識データは、音声認識データ書き込み手段によって、音声認識データ記憶手段に、対応する電話帳データを電話帳データ記憶手段から読み出せるようにその電話帳データに関連付けて書き込まれて記憶される。
【００１１】
以上のように、上記第１の発明によれば、ユーザが電話機に対して電話帳データを登録する操作を行うだけで、音声ダイヤルを行うための音声認識データの登録が自動的に行われるので、音声ダイヤル機能付き電話機において、その音声ダイヤル機能を面倒な操作を必要とすることなく十分に活用することが出来るようになる。
【００１２】
第２の発明による音声ダイヤル機能付き電話機は、前記目的を達成するために、第１の発明の構成に加えて、前記音声認識データ作成手段によって作成された音声認識データに対して前記音声認識手段によって音声認識が可能か否かの判別を行う音声認識データ判別手段をさらに備えていることを特徴としている。
【００１３】
この第２の発明による音声ダイヤル機能付き電話機によれば、電話帳データの登録の際に音声認識データ作成手段によって作成される音声認識データについて、その都度、音声認識データ判別手段によって音声認識手段による音声認識が可能なものであるかどうかの判別が行われるので、例えば音声認識を行うことが出来ない記号などが含まれているような音声認識データが登録されるのを防止することが出来るようになる。
【００１４】
第３の発明による音声ダイヤル機能付き電話機は、前記目的を達成するために、第２の発明の構成に加えて、前記音声認識データ書き込み手段が、前記音声認識データ判別手段によって音声認識手段による音声認識が不可であると判別された音声認識データの音声認識が不可の部分を削除する音声認識データ加工手段をさらに備えていることを特徴としている。
【００１５】
この第３の発明による音声ダイヤル機能付き電話機によれば、音声認識データ作成手段によって作成された音声認識データに含まれている例えば音声認識を行うことが出来ない記号などが、音声認識データ加工手段によって自動的に削除されるので、常に音声認識が可能な音声認識データの登録を行うことが出来るようになり、これによって、電話機の音声ダイヤル機能をさらに十分に活用することが出来るようになる。
【００１６】
第４の発明による音声ダイヤル機能付き電話機は、前記目的を達成するために、第１の発明の構成に加えて、前記電話帳データ記憶手段が、記憶している電話帳データを前記音声認識データ記憶手段に記憶されている対応する音声認識データによって読み出しが可能な状態と読み出しが不能な状態の何れかに設定するリンク設定部を有していることを特徴としている。
【００１７】
この第４の発明による音声ダイヤル機能付き電話機によれば、音声認識データ記憶手段のリンク設定部の設定によって、各電話帳データごとに音声認識データとのリンクの設定とその解除を行うことが可能になり、ユーザが音声ダイヤル機能の設定を電話帳データごとに任意に行うことが可能になる。
【００１８】
第５の発明による音声ダイヤル機能付き電話機は、前記目的を達成するために、第１の発明の構成に加えて、前記音声認識データ記憶手段への音声認識データの書き込み状況を表示するためのメッセージデータを記憶するメッセージ記憶手段をさらに備えていることを特徴としている。
【００１９】
この第５の発明による音声ダイヤル機能付き電話機によれば、音声認識データ記憶手段への音声認識データの登録が完了したときやまたはその登録が行われなかったときに、その登録の状況を示すメッセージデータをメッセージ記憶手段から読み出して、電話機に装備されているディスプレイに表示させたりまたは音声出力するようにしたりすることが出来るので、ユーザが、音声認識データの登録が正常に行われたか否かを容易に知ることが出来るようになる。
【００２０】
第６の発明による音声ダイヤル機能付き電話機は、前記目的を達成するために、第１の発明の構成に加えて、前記電話帳データ記憶手段に記憶されている電話帳データに変更された電話帳データを上書きによって記憶させる電話帳データ変更手段と、この電話帳データ変更手段によって電話帳データ記憶手段に上書きされる変更された電話帳データから前記音声認識データを作成する音声認識修正データ作成手段と、この音声認識修正データ作成手段によって作成された音声認識データを前記電話帳データ記憶手段に上書きされる変更された電話帳データに関連付けて前記音声認識データ記憶手段に書き込む音声認識修正データ書き込み手段とをさらに備えていることを特徴としている。
【００２１】
この第６の発明による音声ダイヤル機能付き電話機は、電話帳データ記憶手段に記憶されている電話帳データが変更される際に、電話帳データ変更手段によって変更された電話帳データが、変更にかかる電話帳データを上書きすることによって電話帳データ記憶手段に書き込まれて記憶される。
【００２２】
この電話帳データの変更の際に、その都度、音声認識修正データ作成手段が、変更された電話帳データから例えば氏名や名称の読み仮名などの音声認識データを作成する。
【００２３】
そして、この音声認識修正データ作成手段によって作成された音声認識データは、音声認識修正データ書き込み手段によって、音声認識データ記憶手段に、変更された電話帳データに関連付けて、変更にかかる電話帳データに関連付けられていた音声認識データを上書きすることによって書き込まれて記憶される。
【００２４】
以上のように、この第６の発明によれば、電話機に登録されている電話帳データが変更される際に、自動的に音声認識データも修正されて登録されるので、音声認識データの再登録の操作が必要なくなり、これによって、電話機の音声ダイヤル機能をさらに十分に活用することが出来るようになる。
【００２５】
第７の発明による音声ダイヤル機能付き電話機は、前記目的を達成するために、第６の発明の構成に加えて、前記音声認識修正データ作成手段によって作成された音声認識データに対して前記音声認識手段によって音声認識が可能か否かの判別を行う音声認識修正データ判別手段をさらに備えていることを特徴としている。
【００２６】
この第７の発明による音声ダイヤル機能付き電話機によれば、電話帳データの変更登録の際に音声認識修正データ作成手段によって作成される音声認識データに対して、その都度、音声認識修正データ判別手段によって、音声認識手段による音声認識が可能なものであるかどうかの判別が行われるので、例えば音声認識を行うことが出来ない記号などが含まれているような音声認識データが登録されるのを防止することが出来るようになる。
【００２７】
第８の発明による音声ダイヤル機能付き電話機は、前記目的を達成するために、第７の発明の構成に加えて、前記音声認識修正データ判別手段によって音声認識手段による音声認識が不可であると判別された音声認識データの音声認識が不可の部分を削除する音声認識修正データ加工手段をさらに備えていることを特徴としている。
【００２８】
この第８の発明による音声ダイヤル機能付き電話機によれば、音声認識修正データ作成手段によって作成された音声認識データに含まれている例えば音声認識を行うことが出来ない記号などが、音声認識修正データ加工手段によって自動的に削除されるので、常に音声認識が可能な音声認識データの登録を行うことが出来るようになり、これによって、電話帳データが変更される場合にも、電話機の音声ダイヤル機能を十分に活用することが出来るようになる。
【００２９】
第９の発明による音声ダイヤル機能付き電話機は、前記目的を達成するために、第４の発明の構成に加えて、前記電話帳データ記憶手段に記憶されている電話帳データ毎に、前記音声認識データ記憶手段に記憶されている対応する音声認識データによって読み出しが可能な状態に設定されているか不能な状態に設定されているかを検出するリンク検出手段と、このリンク検出手段によって電話帳データがこれに対応する音声認識データにより読み出しが可能な状態に設定されていることが検出されたときに前記リンク設定部を書き換えて読み出しが不能な状態に設定を変更し、読み出しが不能な状態に設定されていることが検出されたときにリンク設定部を書き換えて読み出しが可能な状態に再設定するリンク設定変更手段とをさらに備えていることを特徴としている。
【００３０】
この第９の発明による音声ダイヤル機能付き電話機は、ユーザが登録されている任意の電話帳データについて音声入力によるダイヤル発信を希望しない場合に、リンク検出手段が電話帳データ記憶手段を検索して、その電話帳データが音声認識データによって読み出しが可能な状態に設定されているか不能な状態に設定されているかを検出する。
【００３１】
そして、ユーザは、リンク設定変更手段によって、リンク検出手段による検出により所望の電話帳データが音声認識データによる読み出しが可能な状態に設定されているときには、電話帳データ記憶手段のリンク設定部を書き換えることによって読み出しが不能な状態に設定することができ、また、所望の電話帳データが音声認識データによる読み出しが不能な状態に設定されているときには、リンク設定部を書き換えることによって読み出しが可能な状態に再設定することができる。
【００３２】
以上のように、上記第９の発明によれば、ユーザが任意の電話帳データに対する音声ダイヤル機能の削除と再設定を行うことが出来るようになり、これによって電話機の音声ダイヤル機能をユーザの希望に沿った設定にすることが出来るので、ユーザが電話機の音声ダイヤル機能を十分に活用することが出来るようになる。
【００３３】
第１０の発明による音声ダイヤル機能付き電話機は、前記目的を達成するために、第９の発明の構成に加えて、前記リンク検出手段によって電話帳データがこれに対応する音声認識データにより読み出しが可能な状態に設定されていることが検出されたときに、その電話帳データに対応する音声認識データを削除する音声認識データ削除手段をさらに備えていることを特徴としている。
【００３４】
この第１０の発明による音声ダイヤル機能付き電話機によれば、リンク検出手段によって電話帳データがこれに対応する音声認識データにより読み出しが可能な状態に設定されていることが検出されたときに、その電話帳データに対応する音声認識データが音声認識データ削除手段によって削除され、これによって、その電話帳データに対する音声認識による読み出しの機能が停止される。
【００３５】
第１１の発明による音声ダイヤル機能付き電話機は、前記目的を達成するために、第９の発明の構成に加えて、前記リンク検出手段によって電話帳データがこれに対応する音声認識データにより読み出しが不能な状態に設定されていることが検出されたときに、その電話帳データから音声認識データを再度作成する音声認識データ再作成手段と、この音声認識データ再作成手段によって作成された音声認識データを前記電話帳データに関連付けて前記音声認識データ記憶手段に書き込む音声認識データ再書き込み手段とをさらに備えていることを特徴としている。
【００３６】
この第１１の発明による音声ダイヤル機能付き電話機は、リンク検出手段によって音声認識データによる読み出しが不能な状態に設定されていることが検出された電話帳データに対して、再度、音声認識データによる読み出しを可能にする設定が行われる際に、その都度、音声認識データ再作成手段が、その設定を行う電話帳データから例えば氏名や名称の読み仮名などの音声認識データを再度作成する。
【００３７】
そして、この音声認識データ再作成手段によって作成された音声認識データが、音声認識データ再書き込み手段によって、音声認識データ記憶手段に、設定を行う電話帳データを電話帳データ記憶手段から読み出せるようにその電話帳データに関連付けて再度書き込まれて記憶される。
【００３８】
以上のように、上記第１１の発明によれば、音声認識データの再設定の際に、音声認識データが自動的に再度作成されて登録されるので、ユーザは、面倒な操作を行うことなく、電話機の音声ダイヤル機能を十分に活用することが出来るようになる。
【００３９】
第１２の発明による音声ダイヤル機能付き電話機は、前記目的を達成するために、第１１の発明の構成に加えて、前記音声認識データ再作成手段によって作成された音声認識データに対して前記音声認識手段により音声認識が可能か否かの判別を行う音声認識データ再判別手段をさらに備えていることを特徴としている。
【００４０】
この第１２の発明による音声ダイヤル機能付き電話機によれば、電話帳データに対する音声ダイヤル機能の再設定の際に、音声認識データ再作成手段によって作成される音声認識データに対して、その都度、音声認識データ再判別手段によって、音声認識手段による音声認識が可能なものであるかどうかの判別が行われ、これによって、例えば音声認識を行うことが出来ない記号などが含まれているような音声認識データが再登録されるのを防止することが出来るようになる。
【００４１】
第１３の発明による音声ダイヤル機能付き電話機は、前記目的を達成するために、第１１の発明の構成に加えて、前記メッセージ記憶手段が、音声認識データ記憶手段への音声認識データの再書き込みの状況を表示するためのメッセージデータを記憶していることを特徴としている。
【００４２】
この第１３の発明による音声ダイヤル機能付き電話機によれば、電話帳データに対する音声ダイヤル機能の再設定の際に、音声認識データの再書き込みが正常に完了したときや、またはその再書き込みが正常に行われなかったときに、その書き込みの状況を示すメッセージデータをメッセージ記憶手段から読み出して、電話機に装備されているディスプレイに表示させたりまたは音声出力するようにすることが出来るので、ユーザが、音声ダイヤル機能の再設定が正常に行われたか否かを容易に知ることが出来るようになる。
【００４３】
第１４の発明による音声ダイヤル機能付き電話機は、前記目的を達成するために、第１の発明の構成に加えて、前記音声認識データ書き込み手段が、音声認識データ作成手段によって作成された音声認識データを、この音声認識データに含まれる電話帳データの名称の読み仮名順に分類して音声認識データ記憶手段に書き込むことを特徴としており、これによって、音声認識による音声認識データの音声認識データ記憶手段からの読み出しが容易に行われるようになる。
【００４４】
【発明の実施の形態】
以下、この発明の最も好適と思われる実施の形態について、図面を参照しながら詳細に説明を行う。
【００４５】
なお、以下の実施形態においては、この発明を子機を有するコードレス電話機に適用した場合の例が示されている。
【００４６】
図１は、この発明による音声ダイヤル機能付き電話機の実施形態の一例におけるコードレス電話機の親機の構成を示すブロック図であり、図２はその子機の構成を示すブロック図である。
【００４７】
図１において、親機ＨＳは、外線接続端子Ｌ１，Ｌ２に入力される外線着信信号および受話信号を検波する検波回路１と、電話機と外線との回線接続を制御する回線制御回路２と、この回線制御回路２を介して入力されてくる受話信号の後述する他の回路への送出や外線への送話信号の送出を行う通話回路３と、この通話回路３を介して入力されてくる受話信号や外線に送出する送話信号の音声処理を行うとともに後述するＣＰＵに対してモデムとして機能するＤＳＰ（Digital Signal Processor）４と、子機との間でＭＣＡ（マルチ・チャンネル・アクセス）方式による無線通話回路を形成する無線送受信回路５と、子機との間で無線の送受信を行うアンテナ６と、回線制御回路２および通話回路３，ＤＳＰ４，無線送受信回路５に接続されて後述するような各回路の作動制御および音声ダイヤル機能の制御を行うＣＰＵ７と、このＣＰＵ７に接続されて電話番号等のデータ入力や電話機操作を行うキースイッチ８と、ＣＰＵ７に接続されたドライバ９およびこのドライバ９によって駆動される液晶パネルや有機ＥＬなどのディスプレイパネル１０とを備えている。
【００４８】
そして、ＣＰＵ７には、メモリＭが接続されており、このメモリＭは、後述するように、電話帳メモリメモリＭ１および音声認識データメモリＭ２，制御命令メモリＭ３，認識用辞書メモリＭ４，メッセージメモリＭ５によって構成されている。
【００４９】
なお、図１中、１１は外線接続端子Ｌ１，Ｌ２から入力されてくる外線着信信号を検出するリング回路であり、１２はこのリング回路１１による外線着信信号の検出によって呼出音を鳴らすモニタスビーカであり、１３はオンフックモード時にハンズフリーによる通話を行うためのマイクであり、１４は子機を置いたままで通話するためのオンフックモードへの切り換えを行うオンフックスイッチである。
【００５０】
図２において、子機ＴＵは、親機ＨＳとの間で無線の送受信を行うアンテナ２１と、このアンテナ２１を介して親機ＨＳとの間でＭＣＡ方式による無線通話回路を形成する無線送受信回路２２と、この無線送受信回路２２を介して入力されてくる受話信号や外線に送出する送話信号の音声処理を行うとともに後述するＣＰＵに対してモデムとして機能するＤＳＰ（Digital Signal Processor）２３と、このＤＳＰ２３および無線送受信回路２２に接続されて後述するような各回路の作動制御を行うＣＰＵ２４と、このＣＰＵ２４に接続されて電話番号等のデータ入力や電話機操作を行うキースイッチ２５と、ＣＰＵ２４に接続されたドライバ２６およびこのドライバ２６によって駆動される液晶パネルや有機ＥＬなどのディスプレイパネル２７とを備えている。
なお、図２中、２８はマイク、２９はレシーバである。
【００５１】
次に、親機が備えているメモリＭの構成について説明を行う。
【００５２】
このメモリＭは、前述したように、電話帳メモリメモリＭ１および音声認識データメモリＭ２，制御命令メモリＭ３，認識用辞書メモリＭ４，メッセージメモリＭ５によって構成されている。
【００５３】
電話帳メモリＭ１は、ユーザの登録によって電話先の電話番号と氏名や名所を記録しておくところで、図３に示されるように、電話帳アドレスが記録されるアドレスフィールドＭ１ａと、電話番号が記録される電話番号フィールドＭ１ｂと、電話番号に対応する氏名や名称が記録される名称フィールドＭ１ｃと、電話帳メモリＭ１に記録されている電話帳データと後述する音声認識データメモリＭ２に記録されている音声認識データとのリンク状態を記録するリンクフィールドＭ１ｄと、音声認識データメモリＭ２における音声認識データのアドレスが記録される音声認識データアドレスフィールドＭ１ｅが設けられている。
【００５４】
音声認識データメモリＭ２は、音声入力によって認識される音声認識データを記録しておくところで、フラッシュメモリによって構成され、図４に示されるように、音声認識データアドレスが記録されるアドレスフィールドＭ２ａと、音声認識データが記録される音声認識データフィールドＭ２ｂと、電話帳メモリＭ１のアドレスフィールドＭ１ａに記録された電話帳アドレスが記録される電話帳データアドレスフィールドＭ２ｃが設けられている。
【００５５】
制御命令メモリＭ３は、音声入力によって認識される命令内容を記録しておくところで、図５に示されるように、制御命令コードが記録される制御命令コードフィールドＭ３ａと、各制御命令コードに対応する音声入力による用語、例えば「ツギ」とか「ダイヤル」などの用語が記録される制御命令音声データフィールドＭ３ｂが設けられている。
【００５６】
認識用辞書メモリＭ４には、音声入力を認識するための用語辞書が記録され、また、メッセージメモリＭ５には、音声入力操作の手順を示すメッセージなどが記録される。
【００５７】
次に、上記電話機の電話帳データ登録時の作動について、フローチャートを参照しながら説明を行う。
【００５８】
なお、以下において、この発明の実施に使用される音声認識方式については、既存の種々の方式の使用が可能である。
【００５９】
図６は、ＣＰＵ７において行われる電話帳データ登録時の電話帳メモリＭ１および音声認識データメモリＭ２へのデータ登録の手順を示すフローチャートである。
【００６０】
この図６において、ＣＰＵ７は、キースイッチ８の電話帳データの登録を行うための登録キーがオンされたか否かの判断を行い（ステップａ１）、登録キーがオンされたと判断すると、次に、キースイッチ８のキー操作によって電話番号とそれに対応する氏名や名称が入力されたか否かの判断を行う（ステップａ２）。
【００６１】
そして、ステップａ２において電話番号とそれに対応する氏名や名称が入力されてきたと判断したときには、その入力されてくる電話番号とそれに対応する氏名や名称を、アドレスフィールドＭ１ａの指定された（または自動的に割り付けられた）電話帳データアドレス（例えば、０００１）に対応させて、それぞれ電話帳メモリＭ１の電話番号フィールドＭ１ｂと名称フィールドＭ１ｃに記録する（ステップａ３）。
【００６２】
次に、ＣＰＵ７は、キースイッチ８の登録終了キーがオンされたか否かの判断を行い（ステップａ４）、登録終了キーがオンされたと判断すると、電話帳メモリＭ１の名称フィールドＭ１ｃに記録された名称から読み仮名などの音声認識データの作成を行う（ステップａ５）。
【００６３】
さらに、このステップａ５において作成された音声認識データを、認識用辞書メモリＭ４に登録されている認識用辞書を参照することによって、音声認識が可能か否かについての判定を行う（ステップａ６）。
【００６４】
例えば、読み仮名のすべてに記号が付されているような場合には、音声認識が出来ない音声認識データであると判定される。
【００６５】
このステップａ６において音声認識が可であると判定された音声認識データは、音声認識データメモリＭ２のアドレスフィールドＭ２ａに割り付けられた音声認識データアドレス（例えば、０００１）に対応させて、音声認識データフィールドＭ２ｂに記録され、さらに、その音声認識データに対応する電話帳データの電話帳メモリＭ１における電話帳データアドレス番号が、電話帳データアドレスフィールドＭ２ｃに保存される（ステップａ７）。
【００６６】
なお、このとき、読み仮名データメモリＭ２に保存される音声認識データは、電話帳データの読み仮名順に分類されて記録される（図４参照）。
【００６７】
なお、このとき、ステップａ６において、読み仮名に記号などが含まれていて音声認識が出来ない音声認識データであると判定されている場合には、その読み仮名に含まれる記号などが削除されて記録され、また、読み仮名の全てが記号などの場合には記録は行われない。
【００６８】
ステップａ７において音声認識データメモリＭ２への音声認識データの登録が終わると、次に、電話帳メモリＭ１のリンクフィールドＭ１ｄに、登録を行った音声認識データとのリンクの成立状態を示すデータ（リンクが正常に成立した場合には＋マーク，成立しなかった場合には−マーク）が記録されるとともに、音声認識データアドレスフィールドＭ１ｅに、その音声認識データが記録された音声認識データメモリＭ２の音声認識データアドレスが記録される（ステップａ８）。
【００６９】
以上のようにして、電話帳メモリＭ１への電話帳データの登録および音声認識データメモリＭ２への音声認識のための音声認識データの登録が完了すると、ＣＰＵ７は、メッセージメモリＭ５にあらかじめ登録されているメッセージデータのなかから登録が完了したことを示すメッセージデータを読み出して、そのメッセージを、ドライバ９によるディスプレイパネル１０への表示、または、モニタスピーカからの音声出力によって、ユーザに告知する（ステップａ９）。
【００７０】
なお、ステップａ６において音声認識が不可であると判定された場合には、その音声認識データの登録は行われず、その旨のメッセージがディスプレイパネル１０に表示される（ステップａ１０）。
【００７１】
次に、上記のようにして登録が終わった電話帳データが修正される場合の電話機の作動手順について、図７に示されるフローチャートに基づいて説明を行う。
【００７２】
この図７において、ＣＰＵ７は、従来のようなキースイッチ８におけるキー操作によって、または、後述するような音声入力操作によって、修正したい電話帳データを電話帳メモリＭ１から読み出して、ディスプレイパネル１０に表示させる（ステップｂ１）。
【００７３】
次に、ＣＰＵ７は、キースイッチ８に配置されている修正キー（図示せず）がオンされたか否かの判断を行い（ステップｂ２）、修正キーがオンされたと判断すると、次に、キースイッチ８のキー操作によって修正のための電話番号とそれに対応する氏名や名称が入力されたか否かの判断を行う（ステップｂ３）。
【００７４】
そして、このステップｂ３において電話番号とそれに対応する氏名や名称が入力されてきたと判断したときには、その入力されてくる電話番号とそれに対応する氏名や名称を、電話帳メモリＭ１に、ステップｂ１において呼び出されている電話帳データのアドレスフィールドＭ１ａに記録されている電話帳データアドレスに対応させて、電話番号フィールドＭ１ｂと名称フィールドＭ１ｃにそれぞれ上書きによって書き込むことにより保存する（ステップｂ４）。
【００７５】
次に、ＣＰＵ７は、キースイッチ８の修正終了キーがオンされたか否かの判断を行い（ステップｂ５）、修正終了キーがオンされたと判断すると、電話帳メモリＭ１の名称フィールドＭ１ｃに記録された修正後の名称から音声認識データの作成を行う（ステップｂ６）。
【００７６】
さらに、このステップｂ６において作成された音声認識データを、認識用辞書メモリＭ４に登録されている認識用辞書を参照することによって、音声認識が可能か否かについての判定を行う（ステップｂ７）。
【００７７】
例えば、読み仮名のすべてに記号が付されているような場合には、音声認識が出来ない音声認識データであると判定される。
【００７８】
このステップｂ６において、音声認識が可能であると判定された音声認識データは、ステップｂ１において呼び出された電話帳データとリンクしている音声認識データメモリＭ２の音声認識アドレスフィールドＭ２ａに割り付けられた音声認識データアドレスに対応させて、音声認識データフィールドＭ２ｂに上書きによって書き込まれて保存される（ステップｂ８）。
【００７９】
なお、このときの読み仮名に含まれる記号などの扱いについては、前述した音声認識データの登録時の扱いと同様である。
【００８０】
ステップｂ８において音声認識データメモリＭ２への音声認識データの修正登録が終わると、次に、電話帳メモリＭ１のリンクフィールドＭ１ｄに、修正登録を行った音声認識データとのリンクの成立状態を示すデータ（リンクが正常に成立した場合には＋マーク，成立しなかった場合には−マーク）が記録されるとともに、音声認識データアドレスフィールドＭ１ｅに、その音声認識データが記録された音声認識データメモリＭ２の音声認識データアドレスが記録される（ステップｂ９）。
【００８１】
以上のようにして、ステップｂ８における音声認識データメモリＭ２への修正後の音声認識データの登録が終わると、ＣＰＵ７は、メッセージメモリＭ５にあらかじめ登録されているメッセージデータのなかから修正登録が完了したことを示すメッセージデータを読み出して、そのメッセージを、ドライバ９によるディスプレイパネル１０への表示、または、モニタスピーカからの音声出力によって、ユーザに告知する（ステップｂ１０）。
【００８２】
なお、ステップｂ７において音声認識が不可であると判定された場合には、その音声認識データの修正登録は行われず、その旨のメッセージがディスプレイパネル１０に表示される（ステップｂ１１）。
【００８３】
次に、登録されている電話帳データと音声認識データとのリンクを解除する（音声入力による電話帳データの呼び出し機能を不能にする）場合、および、電話帳データと音声認識データのリンクを再登録する（音声入力による電話帳データの呼び出しを可能にする）の場合の電話機の作動手順について、図８に示されるフローチャートに基づいて説明を行う。
【００８４】
この図８において、ＣＰＵ７は、従来のようなキースイッチ８におけるキー操作によって、または、後述するような音声入力操作によって、リンク解除またはリンクの再登録を行う電話帳データを電話帳メモリＭ１から読み出して、ディスプレイパネル１０に表示させる（ステップｃ１）。
【００８５】
次に、ＣＰＵ７は、キースイッチ８に配置されているリンクキー（図示せず）がオンされたか否かの判断を行い（ステップｃ２）、リンクキーがオンされたと判断すると、次に、ステップｃ１において呼び出された電話帳データに対してリンクしている音声認識データが音声認識データメモリＭ２に存在するか否かを、電話帳メモリＭ１のリンクフィールドＭ１ｄのリンク記号に基づいて判定を行う（ステップｃ３）。
【００８６】
そして、このステップｃ３において、呼び出されている電話帳データにリンクする音声認識データが存在することを検出した場合には、この電話帳データとリンクする音声認識データをこの音声認識データが記録されている音声認識データメモリＭ２の対応する欄から削除する（ステップｃ４）とともに、電話帳メモリＭ１のリンクフィールドＭ１ｄの欄を、リンクが解除されていることを示す「−」の記号に書き換える（ステップｃ５）。
【００８７】
これによって、このリンクを削除した電話帳データは、音声入力によって呼び出すことが出来なくなる。
【００８８】
一方、ステップｃ３において、呼び出されている電話帳データにリンクする音声認識データが存在しない（リンクが削除されている）ことが検出された場合には、呼び出されている電話帳データから音声認識データの作成を行う（ステップｃ６）。
【００８９】
さらに、このステップｃ６において作成された音声認識データについて、認識用辞書メモリＭ４に登録されている認識用辞書を参照することによって、音声認識が可能か否かについての判定を行う（ステップｃ７）。
【００９０】
この音声認識データの音声認識が可能か否かについての判定の方法は、前述した音声認識データの登録および修正登録の際と同様である。
【００９１】
このステップｃ７において音声認識が可能であると判定された音声認識データは、音声認識データメモリＭ２の音声認識データアドレスフィールドＭ２ａに割り付けられた音声認識データアドレスに対応させて、音声認識データフィールドＭ２ｂに記録され、さらに、その音声認識データに対応する電話帳データの電話帳メモリＭ１における電話帳データアドレスが、電話帳データアドレスフィールドＭ２ｃに保存される（ステップｃ８）。
【００９２】
そして、ステップｃ８において音声認識データメモリＭ２への音声認識データの書き込みが終わると、次に、電話帳メモリＭ１において、リンクフィールドＭ１ｄのリンクの再登録を行う電話帳データに対応する欄の記号をリンクが成立している「＋」記号に書き換えるとともに、音声認識データアドレスフィールドＭ１ｅに、音声認識データメモリＭ２におけるリンクする音声認識データの音声認識データアドレスを記録する（ステップｃ９）。
【００９３】
以上のようにして、電話帳データと音声認識データの再登録が完了すると、ＣＰＵ７は、メッセージメモリＭ５にあらかじめ登録されているメッセージデータのなかからリンクの再登録が完了したことを示すメッセージデータを読み出して、そのメッセージを、ドライバ９によるディスプレイパネル１０への表示、または、モニタスピーカからの音声出力によって、ユーザに告知する（ステップｃ１０）。
【００９４】
なお、ステップｃ７において音声認識が不可であると判定された場合には、その音声認識データの再登録は行われず、その旨のメッセージがディスプレイパネル１０に表示される（ステップｃ１１）。
【００９５】
このようにしてリンクの再登録が行われた電話帳データは、音声入力によって再び呼び出すことが出来るようになる。
【００９６】
次に、音声入力により発信を行う場合の電話機の作動手順について、図９および１０に示されるフローチャートに基づいて説明を行う。
【００９７】
この図９および１０において、ＣＰＵ７は、キースイッチ８に配置されている音声入力キー（図示せず）がオンされたか否かの判断を行い（ステップｄ１）、音声入力キーがオンされると、次に、メモリＭの電話帳メモリＭ１および音声認識データメモリＭ２を検索して、電話帳メモリＭ１に登録されている電話帳データに対してリンクする音声認識データが登録されているか否かの判断を行う（ステップｄ２）。
【００９８】
このステップｄ２において、電話帳データとリンクする音声認識データが登録されていないと判断した場合には、ＣＰＵ７は、メッセージメモリＭ５にあらかじめ登録されているメッセージデータのなかから、電話帳データとリンクする音声認識データが登録されていない旨を示すメッセージデータを読み出して、そのメッセージを、ドライバ９によるディスプレイパネル１０への表示、または、モニタスピーカからの音声出力によって、ユーザに告知する（ステップｄ３）。
【００９９】
一方、ステップｄ２において、電話帳データとリンクする音声認識データが登録されていると判断した場合には、ＣＰＵ７は、電話機の操作モードを音声認識データメモリＭ２からの音声認識データ検索モードに切り換えた後（ステップｄ４）、親機ＨＳまたは子機ＴＵからの音声入力の有無を判断する（ステップｄ５）。
【０１００】
そして、このステップｄ５において、親機ＨＳまたは子機ＴＵからの音声入力があると、次に、音声入力が終了したかまたは音声入力時間が終了したか否かの判断を行い（ステップｄ６）、音声入力が終了したりまたは音声入力時間が終了した後、入力された音声に基づいて、音声認識データメモリＭ２の音声認識データフィールドＭ２ｂに記録されている音声認識データの検索を行う（ステップｄ７）。
【０１０１】
このステップｄ７における検索の結果、音声認識によって入力された音声に一致すると判定される音声認識データのうち、上位の複数（この例では５件）の音声認識データの読み出しを行い、さらに、電話帳アドレスフィールドＭ２ｃに記録されている電話帳データアドレスに基づいて、読み出した各音声認識データに対応する電話帳メモリＭ１に登録されている電話帳データのそれぞれの読み出しを行う（ステップｄ８）。
【０１０２】
次に、このステップｄ８において読み出した音声認識データのうち、上位のものからそのデータに基づいてテキスト合成を行い、その読み仮名をモニタスビーカ１２から音声再生するとともに、読み出した電話番号と名称をディスプレイパネル１０に表示するとことによって、ユーザに告知する（ステップｄ９）。
【０１０３】
この音声再生のためのテキスト合成を行うアプリケーションとしては、既存の種々のアプリケーションを使用することが出来る。
【０１０４】
そして、この音声認識データに基づくテキスト合成再生が一件毎に終了したか否かの判断を行って（ステップｄ１０）、一件の音声認識データに基づくテキスト合成再生が終了すると、次に、それまでの音声認識検索モードを制御命令メモリＭ３に対する制御命令音声データ検索モードに切り換える（ステップｄ１１）。
【０１０５】
このとき、メッセージメモリＭ５からこれに登録されているメッセージを読み出して、例えば「次に制御用命令を音声入力してください。」というメッセージをディスプレイパネル１０に表示したりまたはモニタスビーカ１２から音声出力することによって、ユーザに次の操作を促す。
【０１０６】
ステップｄ１１における検索モード切換の後、親機ＨＳまたは子機ＴＵからの制御用音声の入力の有無を判断し（ステップｄ１２）、さらに、この音声入力が終了したかまたは音声入力時間が終了したか否かの判断を行って（ステップｄ１３）、音声入力が終了したりまたは音声入力時間が終了すると、入力された制御用音声に基づいて、制御命令メモリＭ３の制御命令音声データフィールドＭ３ｂを検索して、一致する制御命令音声データを検出する（ステップｄ１４）。
【０１０７】
そして、このステップｄ１４における検索の結果、入力された制御用音声に一致する制御命令音声データが次候補の音声認識データの表示を命令する「ツギ」を示すデータであるか否かを判断する（ステップｄ１５）。
【０１０８】
このステップｄ１５の判断において、入力された制御用音声に一致する制御命令音声データが次候補の表示を命令する「ツギ」を示すデータであると判断された場合には、ＣＰＵ７は、制御命令メモリＭ３の制御命令コードフィールドＭ３ａに記録されている制御命令コードに基づいて、ステップｄ８において読み出されている音声認識データのうち、そのとき表示されている音声認識データの次ぎの順位にある音声認識データを選択する（ステップｄ１６）。
【０１０９】
そして、この次候補の音声認識データに基づいてテキスト合成を行い、その読み仮名をモニタスビーカ１２から音声再生するとともに、対応する電話番号と名称をディスプレイパネル１０に表示するとことによって、ユーザに告知する（ステップｄ１７）。
【０１１０】
次に、この音声認識データに基づくテキスト合成再生が終了したか否かの判断を行って（ステップｄ１８）、このテキスト合成再生が終了すると、「次ぎに制御用命令を音声入力してください」というメッセージをディスプレイパネル１０に表示したりまたはモニタスビーカ１２から音声出力した後、ステップｄ１２に戻って、ステップｄ１５までの手順を繰り返す。
【０１１１】
このようにして、ユーザは、上記のような音声入力による制御命令を繰り返すことによって発信しようとする所望の電話番号を確定することが出来る。
【０１１２】
そして、ＣＰＵ７は、所望する電話番号が確定されてユーザが発信を意味する「ダイヤル」を音声入力し、ステップｄ１５において、ユーザから入力された制御用音声に一致する制御命令音声データが次候補の表示を命令する「ツギ」を示すデータではないと判断されると、さらに制御命令メモリＭ３の検索を行って、ユーザから入力された制御用音声に一致する制御命令音声データが発信を意味する「ダイヤル」を示すデータであるか否かの判断を行う（ステップｄ１９）。
【０１１３】
このステップｄ１９において、ユーザから入力された制御用音声に一致する制御命令音声データが発信を意味する「ダイヤル」を示すデータであると判断されると、ＣＰＵ７は、制御命令メモリＭ３の制御命令コードフィールドＭ３ａに記録されている制御命令コードに基づいて、回線制御回路２および通話回路３，ＤＳＰ４を制御して、そのとき表示されている電話番号に基づいてダイヤル発信を行う（ステップｄ２０）。
【０１１４】
なお、上記の操作手順において、制御用音声の入力の際に、入力された制御用音声に一致する制御命令音声データが制御命令メモリＭ３に登録されていない場合には、ＣＰＵ７は、その旨のメッセージをディスプレイパネル１０や音声によって表示するか、または、警告音をモニタスビーカ１２から出力した後、待機状態になって、再度制御用音声が入力されてくるのを待つ。
【０１１５】
次に、子機ＴＵからの音声入力によって発信を行う場合の子機における作動手順について、図１１に示されるフローチャートに基づいて説明を行う。
【０１１６】
この子機ＴＵからの音声入力による発信は、子機ＴＵに音声入力を行うことにより、親機ＨＳに備えられているメモリＭに登録されている音声認識用の各データを用いてダイヤル発信を行うものである。
【０１１７】
子機ＴＵのＣＰＵ２４（図２参照）は、子機ＴＵが外線通話時と同様に親機ＨＳとの間で通信回線が開かれている（キースイッチ２５に配置されている通話キーがオンされて、子機ＴＵの無線送受信回路２２と図１の親機ＨＳの無線送受信回路５との間でそれぞれアンテナ２１およびアンテナ６を介してデータの送受信が可能な状態になっている）状態で、キースイッチ２５に配置されている音声入力キー（図示せず）がオンされたか否かの判断を行い（ステップｅ１）、音声入力キーがオンされると、ＣＰＵ２４のメモリにあらかじめ登録されている読み出し命令コードを親機ＨＳに送信する（ステップｅ２）。
【０１１８】
この子機ＴＵからの読み出し命令コードを受信した親機ＨＳのＣＰＵ７は、親機ＨＳのキースイッチ８に配置されている音声入力キーがオンされたときと同じ状態（モード）になって、前述した図９および１０のフローチャートのステップｄ１からｄ４を経てステップｄ５に移行する。
【０１１９】
子機ＴＵのＣＰＵ２４は、ステップｅ２の読み出し命令コードの送信後、音声認識データの音声入力の有無を検出し（ステップｅ３）、音声入力があったことを検出すると、その入力された音声を親機ＨＳに送信する（ステップｅ４）。
【０１２０】
この子機ＴＵからの音声の送信を受けた親機ＨＳのＣＰＵ７は、前述した図９および１０のステップｄ５〜ｄ８を経て、子機ＴＵからの音声に一致すると思われる複数の音声認識データを読み出し、先ず、上位の音声認識データを子機ＴＵに送信する。
【０１２１】
子機ＴＵは、この親機ＨＳからの音声認識データを受信し（ステップｅ５）、そのデータに基づいてテキスト合成を行ってその読み仮名をモニタスビーカ１２から音声再生するとともに、読み出した電話帳データをディスプレイパネル２７に表示することによって、子機ＴＵを使用しているユーザに告知する（ステップｅ６）。
【０１２２】
次に、ＣＰＵ２４は、制御用音声の入力の有無を判断し（ステップｅ７）、さらに、この制御用音声の入力が終了したかまたは音声入力時間が終了したか否かの判断を行って（ステップｅ８）、音声入力が終了したりまたは音声入力時間が終了すると、入力された制御用音声を親機ＨＳに送信する（ステップｅ９）。
【０１２３】
この制御用音声データを受信した親機ＨＳのＣＰＵ７は、前述した図９および１０のステップｄ１１〜ｄ１５を経て受信した制御用音声の認識を行った後、制御用音声に一致する制御命令音声データが次候補の音声認識データの表示を命令する「ツギ」を示すデータである場合には、次候補の音声認識データおよびこれに対応する電話帳データを選択して子機ＴＵに送信する。
【０１２４】
また、制御用音声に一致する制御命令音声データが発信を意味する「ダイヤル」を示すデータである場合には、ＣＰＵ７は、図９および１０のステップｄ１９およびｄ２０を経て確定された電話番号に基づいてダイヤル発信を行うとともに、その発信を行った電話番号を含む電話帳データを子機ＴＵに送信する。
【０１２５】
子機ＴＵのＣＰＵ２４は、ステップｅ９において制御用音声の親機ＨＳへの送信後、次候補の音声認識データが送信されてきたか否かの判断を行い（ステップｅ１０）、次候補の音声認識データが送信されてきた場合にはステップｅ６に戻って上述した手順を繰り返し、次候補の音声認識データが送信されて来ずに親機ＨＳにおいて外線へのダイヤル発信が行われると、親機ＨＳから送信されてきた電話帳データを受信して（ステップｅ１１）、ディスプレイパネル２７に表示するとともに再ダイヤルデータとしてメモリに保存する（ステップｅ１２）。
【０１２６】
以上のようにして、子機ＴＵおける音声入力によるダイヤル発信が行われる。なお、子機ＴＵにおいて、メモリに保存する再ダイヤルデータには、ステップｅ６においてディスプレイパネル２７に表示されている電話帳データを用いるようにしても良い。
【図面の簡単な説明】
【図１】この発明による音声ダイヤル機能付き電話機の実施形態の一例における親機の回路構成を示すブロック図である。
【図２】同例における子機の回路構成を示すブロック図である。
【図３】同例の電話機の電話帳メモリに記録される電話帳データの例を示すテーブル図である。
【図４】同例の電話機の音声認識データメモリに記録される音声認識データの例を示すテーブル図である。
【図５】同例の電話機の制御命令メモリに記録される制御命令音声データの例を示すテーブル図である。
【図６】同例の電話機において音声認識データの登録が行われる際の作動手順を示すフローチャートである。
【図７】同例の電話機において電話帳データの修正が行われる際の作動手順を示すフローチャートである。
【図８】同例の電話機において電話帳データと音声認識データのリンクの削除および再設定が行われる際の作動手順を示すフローチャートである。
【図９】同例の電話機において音声認識により電話帳データが読み出される際の作動手順を示すフローチャートである。
【図１０】同例の電話機において音声認識により電話帳データが読み出される際の作動手順を示すフローチャートである。
【図１１】同例の電話機において子機によって音声認識による電話帳データの読み出しが行われる際の作動手順を示すフローチャートである。
【符号の説明】
１    …検波回路
２    …回線制御回路
３    …通話回路
４    …ＤＳＰ
５    …無線送受信回路
６    …アンテナ
７    …ＣＰＵ
８    …キースイッチ
９    …ドライバ
１０  …ディスプレイパネル
１１  …リング回路
１２  …モニタスビーカ
１３  …マイク
１４  …オンフックスイッチ
Ｍ    …メモリ
Ｍ１  …電話帳メモリ（電話帳データ記憶手段）
Ｍ２  …音声認識データメモリ（音声認識データ記憶手段）
Ｍ３  …制御命令メモリ
Ｍ４  …認識用辞書メモリ
Ｍ５  …メッセージメモリ（メッセージ記憶手段）
ＨＳ  …親機
ＴＵ  …子機
【図１】
0003995136.tif 000002
【図２】
0003995136.tif 000003
【図３】
0003995136.tif 000004
【図４】
0003995136.tif 000005
【図５】
0003995136.tif 000006
【図６】
0003995136.tif 000007
【図７】
0003995136.tif 000008
【図８】
0003995136.tif 000009
【図９】
0003995136.tif 000010
【図１０】
0003995136.tif 000011
【図１１】
0003995136.tif 000012